(57)【要約】【課題】  冷却器に霜が付着することを抑制する技術を提供することである。【解決手段】  冷蔵庫は、冷蔵庫の貯蔵室に送られる空気を冷却する冷却器を備えていてもよい。冷却器は、冷却器は、冷却器本体と、冷却器本体の表面の少なくとも一部を覆っているコーティング層と、を備えていてもよい。コーティング層は、ポリペプチドを含んでいてもよい。ポリペプチドは、霜発生抑制剤であり、周囲に氷の核が形成されると、その氷の核に特異的に結合して氷が結晶成長すること、即ち、霜が発生することを抑制してもよい。【選択図】  図２
2020176764.tif 000002
【特許請求の範囲】
【請求項１】
冷蔵庫であって、
前記冷蔵庫の貯蔵室に送られる空気を冷却する冷却器を備えており、
前記冷却器は、
冷却器本体と、
前記冷却器本体の表面の少なくとも一部を覆っているコーティング層と、を備えており、
前記コーティング層は、ポリペプチドを含んでいる、冷蔵庫。
【請求項２】
前記貯蔵室は、
冷蔵温度帯の冷蔵貯蔵室と、
冷凍温度帯の冷凍貯蔵室と、を備えており、
前記冷蔵庫は、
前記冷蔵貯蔵室に送る空気を冷却する冷蔵冷却器と、
前記冷凍貯蔵室に送る空気を冷却する冷凍冷却器と、を備えており、
前記冷蔵冷却器と前記冷凍冷却器との少なくとも一方は、前記冷却器から構成されている、請求項１に記載の冷蔵庫。
【請求項３】
前記冷蔵冷却器と前記冷凍冷却器とは、内部に空気を冷却するための冷媒が流れるように構成されており、
前記冷蔵冷却器に冷媒が流れるときに前記冷凍冷却器に冷媒が流れない冷蔵冷却モードと、前記冷凍冷却器に冷媒が流れるときに前記冷蔵冷却器に冷媒が流れない冷凍冷却モードと、を実行する制御装置をさらに備えている、請求項２に記載の冷蔵庫。
【請求項４】
前記冷却器本体は、
内部に冷媒が流れる冷媒管と、
前記冷媒管に取り付けられており、前記冷却器本体を流れる空気の流れ方向において、前記冷却器本体の上流側から下流側に向けて空気を案内するフィン構造体と、を備えており、
前記フィン構造体は、
前記冷却器本体の上流側に位置している複数の上流側フィンと、
前記冷却器本体の下流側に位置している複数の下流側フィンと、を備えており、
互いに隣接する前記複数の下流側フィンの間の距離は、互いに隣接する前記複数の上流側フィンの間の距離よりも短く、
前記コーティング層は、少なくとも前記複数の下流側フィンの表面を覆っている、請求項１から３のいずれか一項に記載の冷蔵庫。
【請求項５】
前記冷却器本体は、
内部に冷媒が流れる冷媒管と、
前記冷媒管に取り付けられて、前記冷却器本体の上流から下流に向けて空気を案内するフィン構造体と、
前記冷却器本体の一端に位置しており、前記冷却器本体の周囲の空気の温度を計測する温度センサと、を備えており、
前記フィン構造体は、
前記温度センサに近接した近接領域に位置している複数の第１フィンと、
前記温度センサから前記近接領域よりも離間した離間領域に位置している複数の第２フィンと、を備えており、
前記コーティング層は、少なくとも前記複数の第２フィンの表面を覆っている、請求項１から３のいずれか一項に記載の冷蔵庫。
【発明の詳細な説明】
【技術分野】
【０００１】
本明細書は、冷蔵庫に関する。
【背景技術】
【０００２】
特許文献１に開示される冷蔵庫は、冷却器を備えている。冷却器の内部には、冷媒が流れる。冷却器の周囲の空気は、冷却器の内部を流れる冷媒によって冷却される。
【先行技術文献】
【特許文献】
【０００３】
【特許文献１】特開２０１９−１１９３３号公報
【発明の概要】
【発明が解決しようとする課題】
【０００４】
特許文献１に開示される冷蔵庫では、冷却器に冷媒が流れていないときの冷却器の周囲の空気の温度が、冷却器に冷媒が流れているときの冷却器の周囲の空気の温度よりも高くなることがある。この状態で、冷却器に冷媒が流れると、冷却器の周囲の空気の温度と冷却器の温度との温度差によって、冷却器の表面に霜が付着する。この結果、冷却器での空気の冷却効率が低下したり、冷却器内を空気が流れにくくなったりする。
【０００５】
本明細書では、冷却器に霜が付着することを抑制する技術を開示する。
【課題を解決するための手段】
【０００６】
本明細書に開示される冷蔵庫は、冷蔵庫の貯蔵室に送られる空気を冷却する冷却器を備えている。冷却器は、冷却器本体と、冷却器本体の表面の少なくとも一部を覆っているコーティング層と、を備えている。コーティング層は、ポリペプチドを含んでいる。
【図面の簡単な説明】
【０００７】
【図１】第１実施例の冷蔵庫の縦断面図である。
【図２】第１実施例の冷蔵庫の冷却器の断面図である。
【図３】第１実施例の冷却サイクルを示す図である。
【図４】第２実施例の冷蔵庫の冷却器の断面図である。
【発明を実施するための形態】
【０００８】
（第１実施例）
図１から図３を参照して、第１実施例を説明する。図１に示すように、冷蔵庫１０は、筐体１２と、ファン２６、２８と、冷蔵冷却器３０と、冷凍冷却器５０と、制御装置８０（図３参照）と、を備えている。筐体１２は、その内部に、冷蔵貯蔵室１４と、冷凍貯蔵室１６と、冷蔵冷却器室１８と、冷凍冷却器室２０と、を有している。冷蔵貯蔵室１４は、冷蔵温度帯（例えば１〜４℃）の貯蔵室であり、冷凍貯蔵室１６は、冷凍温度帯（例えば−１０〜−２０℃）の貯蔵室である。冷蔵貯蔵室１４は、筐体１２の上部に位置しており、冷凍貯蔵室１６は、冷蔵貯蔵室１４の下方に位置している。冷蔵貯蔵室１４の前面開口と冷凍貯蔵室１６の前面開口とのそれぞれは、扉によって開閉される。
【０００９】
冷蔵冷却器室１８は、冷蔵貯蔵室１４の後方に配置されている。冷蔵冷却器室１８は、冷蔵貯蔵室１４に連通している。
【００１０】
冷蔵冷却器室１８には、ファン２６と冷蔵冷却器３０とが配置されている。ファン２６には、図示省略のファンモータが接続されている。制御装置８０の指令に従って図示省略のファンモータが駆動すると、ファン２６が回転する。これにより、空気が冷蔵貯蔵室１４に送られる。
【００１１】
冷蔵冷却器３０は、冷蔵冷却器３０を通過する空気を冷却する。ファン２６が回転すると、ファン２６の後方（図１ではファン２６の下方）に負圧が発生する。このため、空気は、冷蔵冷却器３０内を上流から下流に向かって（図１では冷蔵冷却器３０の下方から上方に向かって）流れ、冷却される。
【００１２】
冷凍冷却器室２０は、冷凍貯蔵室１６の後方に配置されている。冷凍冷却器室２０は、冷凍貯蔵室１６に連通している。
【００１３】
冷凍冷却器室２０には、ファン２８と冷凍冷却器５０とが配置されている。ファン２８は、ファン２６と同様の構成を有する。ファン２８には、図示省略のファンモータが接続されている。制御装置８０の指令に従って図示省略のファンモータが駆動すると、ファン２８が回転する。これにより、空気が冷凍貯蔵室１６に送られる。
【００１４】
冷凍冷却器５０は、冷凍冷却器５０を通過する空気を冷却する。ファン２８が回転すると、ファン２８の後方（図１ではファン２８の下方）に負圧が発生する。このため、空気は、冷凍冷却器５０内を上流から下流に向かって（図１では冷凍冷却器５０の下方から上方に向かって）流れ、冷却される。冷凍冷却器５０によって冷却される空気の温度は、冷蔵冷却器３０によって冷却される空気の温度よりも低い。一方、冷凍冷却器５０の基本的なデバイス構成は、冷蔵冷却器３０の基本的なデバイス構成と同じである。
【００１５】
図２を参照して、冷却器の構成を説明する。冷蔵冷却器３０の基本的なデバイス構成と冷凍冷却器５０の基本的なデバイス構成とは同じであるため、以下では、冷蔵冷却器３０の例を説明する。
【００１６】
図２に示すように、冷蔵冷却器３０は、冷却器本体３２と、コーティング層４６と、を備えている。冷却器本体３２は、冷媒管３４と、端板３６と、フィン構造体３８と、アキュムレータ４０と、温度センサ４２と、を備えている。冷媒管３４は、銅またはアルミ等の金属材料から作製されている。冷媒管３４は、冷媒が流れる流路３４ａを内部に有する。冷媒は冷媒管３４の流路３４ａを図２の実線矢印の方向に流れる。冷媒が気化するときに周囲の熱を吸収することによって、冷媒管３４の周囲の空気が冷却される。冷媒管３４は、冷却器本体３２の幅方向（図２の左右方向）の両端でＵ字状に折り返されている。
【００１７】
冷媒管３４の幅方向の両端のそれぞれには、端板３６が連結されている。端板３６は、銅またはアルミ等の金属材料から作製されている。端板３６は、冷媒管３４を支持している。
【００１８】
フィン構造体３８は、冷媒管３４に取り付けられている。フィン構造体３８は、複数のフィンから構成されている。フィン構造体３８は、銅またはアルミ等の金属材料から作製されている。フィン構造体３８は、冷媒管３４の幅方向を横切るように延びている。フィン構造体３８は、冷却器本体３２を通過する空気の流れ方向の上流側から下流側に向かって（図２の上下方向に）延びている。フィン構造体３８では、長さの短いフィンと長さの長いフィンとが幅方向（図２の左右方向）に交互に並んでいる。フィン構造体３８を構成する複数のフィンは、冷却器本体３２の幅方向に互いに離間して並んでいる。フィン構造体３８は、冷却器本体３２を通過する空気の流れ方向の上流側から下流側に向かって（図２の破線矢印の方向に）空気を案内する。空気は、フィン構造体３８内を、即ち、冷却器本体３２の幅方向に互いに隣接する複数のフィンの間を通過する。
【００１９】
フィン構造体３８は、複数の上流側フィン３８ａと、複数の下流側フィン３８ｂと、を備えている。複数の上流側フィン３８ａは、冷却器本体３２の上流側（図２ではフィン構造体３８の下部側）に位置しているフィンであり、複数の下流側フィン３８ｂは、冷却器本体３２の下流側（図２ではフィン構造体３８の上部側）に位置しているフィンである。複数の下流側フィン３８ｂの数は、複数の上流側フィン３８ａの数よりも多い。互いに隣接する複数の下流側フィン３８ｂの間の距離Ｌ２は、互いに隣接する複数の上流側フィン３８ａの間の距離Ｌ１よりも短い。
【００２０】
アキュムレータ４０は、冷媒管３４に取り付けられている。アキュムレータ４０は、銅またはアルミ等の金属材料から作製されている。アキュムレータ４０は、液体の冷媒と気体の冷媒とを分離する。アキュムレータ４０は、液体の冷媒を貯める。冷却器本体３２の幅方向において、アキュムレータ４０は、一方の端板３６に隣接して配置されている。アキュムレータ４０は、幅方向における冷却器本体３２の一端に位置している。
【００２１】
温度センサ４２は、アキュムレータ４０に取り付けられている。温度センサ４２は、アキュムレータ４０の周囲の空気の温度を計測する。
【００２２】
コーティング層４６は、冷媒管３４の表面と、端板３６の表面と、複数の下流側フィン３８ｂの表面と、アキュムレータ４０の表面と、を覆っている。図２では、コーティング層４６がドットハッチで図示されている。コーティング層４６は、複数の上流側フィン３８ａの表面を覆っていない。
【００２３】
コーティング層４６は、ポリペプチドと基層とを含んでいる。ポリペプチドは、霜発生抑制剤である。ポリペプチドによって冷却器本体３２に霜が付着することが抑制される。ポリペプチドは、周囲に氷の核が形成されると、その氷の核に特異的に結合して氷が結晶成長すること、即ち、霜が発生することを抑制する。ポリペプチドは、水の氷点下であっても、霜が発生することを抑制する。ポリペプチドは、例えば、植物や魚類等から回収されるポリペプチドである。なお、変形例では、ポリペプチドは、有機合成によって作製されるポリペプチドであってもよく、遺伝子工学的手法によって作製されるポリペプチドであってもよい。
【００２４】
ポリペプチドは、各部材の表面を覆う基層上に配置されている。ポリペプチドの分子は、基層の分子と結合している。なお、変形例では、ポリペプチドは、基層の分子との分子間相互作用によって、基層上に配置されていてもよい。
【００２５】
基層の分子は、ポリペプチドの分子と結合する。基層は、例えばシランカップリング剤等の結合剤から構成される層であるが、これに限られない。結合剤が溶解した溶液に各部材を浸漬させ、その後、各部材を洗浄し乾燥することによって、結合剤（即ち基層）は各部材の表面に配置される。これによって、基層は、各部材の表面を覆う。
【００２６】
図１に戻り、冷蔵庫１０の構成を説明する。図１に示すように、筐体１２は、その下部後方に機械室２２をさらに有している。機械室２２は、冷蔵貯蔵室１４と、冷凍貯蔵室１６と、冷蔵冷却器室１８と、冷凍冷却器室２０と、に連通していない。また、冷蔵庫１０は、機械室２２に配置されている圧縮機６０と凝縮器６２とをさらに備えている。圧縮機６０と凝縮器６２とは、図３に示す冷蔵庫１０の冷却サイクルに関係する。
【００２７】
図３に示すように、冷蔵庫１０は、圧縮機６０と、凝縮器６２と、切替弁６４と、冷蔵キャピラリチューブ６６と、冷蔵冷却器３０と、冷凍キャピラリチューブ７０と、冷凍冷却器５０と、逆止弁７２と、制御装置８０と、を備えている。
【００２８】
圧縮機６０は、冷媒を高温かつ高圧に圧縮する。圧縮機６０は、制御装置８０の指令に従って駆動し、冷媒を圧送する。圧縮機６０から圧送される冷媒は、気体である。圧縮機６０から圧送される冷媒の流量は、制御装置８０によって調整される。
【００２９】
圧縮機６０の吐出口には、凝縮器６２が接続されている。凝縮器６２は、冷媒の熱を放熱する。これにより、冷媒は気体から液体に変化する。
【００３０】
凝縮器６２には、切替弁６４が接続されている。切替弁６４は、２個の出口を有している。切替弁６４は、切替弁６４の入口から流れ込んだ冷媒を２個の出口の一方に切り替えて流すことができる。制御装置８０の指令に従って、冷媒を流す出口が切り換えられる。即ち、切替弁６４の一方の出口が開放しているとき、他方の出口が閉鎖しており、切替弁６４の他方の出口が開放しているとき、一方の出口が閉鎖している。なお、変形例では、切替弁６４は、２個の出口の両方に冷媒を流すことができる構成であってもよい。この場合、切替弁６４の２個の出口の開度が制御装置８０によって調整されることによって、２個の出口のそれぞれに流れる冷媒の流量が調整される。
【００３１】
切替弁６４の一方の出口には、冷蔵キャピラリチューブ６６、冷蔵冷却器３０が順番に接続されている。冷蔵キャピラリチューブ６６は、内部を流れる冷媒を減圧する。冷蔵キャピラリチューブ６６は、冷蔵冷却器３０の冷媒管３４に接続されている。
【００３２】
切替弁６４の他方の出口には、冷凍キャピラリチューブ７０、冷凍冷却器５０、逆止弁７２が順番に接続されている。冷蔵冷却器３０の出口側と逆止弁７２の出口側とが１つになって圧縮機６０の吸入口に接続されている。
【００３３】
冷凍キャピラリチューブ７０は、内部を流れる冷媒を減圧する。冷凍キャピラリチューブ７０は、冷凍冷却器５０の冷媒管に接続されている。冷凍キャピラリチューブ７０の長さは、冷蔵キャピラリチューブ６６の長さよりも長い。このため、冷凍キャピラリチューブ７０を流れる冷媒は、冷蔵キャピラリチューブ６６を流れる冷媒と比較して、より低い圧力まで減圧される。
【００３４】
逆止弁７２は、冷凍冷却器５０の冷媒管に接続されている。逆止弁７２は、冷媒を冷凍冷却器５０側から逆止弁７２を通って圧縮機６０側に流す。一方、逆止弁７２は、冷媒を圧縮機６０側から逆止弁７２を通って冷凍冷却器５０側に流さない。
【００３５】
上記したように、制御装置８０は、圧縮機６０と切替弁６４とを制御する。図３では、制御装置８０と圧縮機６０との接続線および制御装置８０と切替弁６４との接続線が破線で示されている。制御装置８０は、圧縮機６０と切替弁６４とを制御して、冷蔵冷却モードと冷凍冷却モードとを交互に実行する。また、制御装置８０は、温度センサ４２および冷蔵貯蔵室１４と冷凍貯蔵室１６とのそれぞれに配置される温度センサ（図示省略）によって計測される温度に基づいて、冷蔵冷却モードと冷凍冷却モードとを実行する。
【００３６】
冷蔵冷却モードでは、制御装置８０は、まず、切替弁６４の冷蔵キャピラリチューブ６６側の出口を開放し、切替弁６４の冷凍キャピラリチューブ７０側の出口を閉鎖する。次に、制御装置８０は、圧縮機６０とファン２６に接続されたファンモータ（図示省略）とを駆動する。これにより、圧縮機６０から凝縮器６２を通り切替弁６４に流れた冷媒は、切替弁６４の冷蔵キャピラリチューブ６６側の出口に流れる。冷媒は、切替弁６４の冷凍キャピラリチューブ７０側の出口に流れない。その後、冷媒は、冷蔵キャピラリチューブ６６と冷蔵冷却器３０とを通り圧縮機６０に戻る。冷媒が冷蔵冷却器３０の冷媒管３４を流れる間に、冷蔵冷却器３０の周囲の空気が冷却される。また、ファン２６に接続されたファンモータの駆動により、ファン２６が回転する。この結果、冷蔵冷却器３０によって冷却された空気が冷蔵貯蔵室１４に送られる。冷凍冷却器５０には冷媒が流れておらず、冷凍冷却器５０の周囲の空気は冷却されない。
【００３７】
冷凍冷却モードでは、制御装置８０は、まず、切替弁６４の冷凍キャピラリチューブ７０側の出口を開放し、切替弁６４の冷蔵キャピラリチューブ６６側の出口を閉鎖する。次に、制御装置８０は、圧縮機６０とファン２８に接続されたファンモータ（図示省略）とを駆動する。これにより、圧縮機６０から凝縮器６２を通り切替弁６４に流れた冷媒は、切替弁６４の冷凍キャピラリチューブ７０側の出口に流れる。冷媒は、切替弁６４の冷蔵キャピラリチューブ６６側の出口に流れない。その後、冷媒は、冷凍キャピラリチューブ７０と冷凍冷却器５０と逆止弁７２とを通り圧縮機６０に戻る。これにより、冷媒が冷凍冷却器５０の冷媒管を流れる間に、冷凍冷却器５０の周囲の空気が冷却される。また、ファン２８に接続されたファンモータの駆動により、ファン２８が回転する。この結果、冷凍冷却器５０によって冷却された空気が冷凍貯蔵室１６に送られる。冷蔵冷却器３０には冷媒が流れておらず、冷蔵冷却器３０の周囲の空気は冷却されない。
【００３８】
（効果）
上記の第１実施例の冷蔵庫１０は、冷媒管３４の表面と、端板３６の表面と、複数の下流側フィン３８ｂの表面と、アキュムレータ４０の表面と、を覆っているコーティング層４６を備えている。コーティング層４６は、ポリペプチドを含んでいる。ポリペプチドは、霜発生抑制剤である。冷媒管３４に冷媒が流れ、冷却器本体３２の温度と冷却器本体３２の周囲の空気の温度とに温度差が発生した場合、冷却器本体３２の表面に、氷の核が発生する。ポリペプチドは、氷の核に特異的に結合して、氷が結晶成長することを抑制する。このため、冷蔵冷却器３０と冷凍冷却器５０との表面に霜が付着することを抑制することができる。
【００３９】
冷蔵冷却器３０と冷凍冷却器５０とは、コーティング層４６を備えている。このため、冷蔵貯蔵室１４と冷凍貯蔵室１６との２種類の貯蔵室を有する冷蔵庫１０において、冷蔵冷却器３０と冷凍冷却器５０との表面に霜が付着することを抑制することができる。
【００４０】
制御装置８０は、冷蔵冷却モードと冷凍冷却モードとを実行する。冷蔵冷却モードでは、冷蔵冷却器３０に冷媒が流れる一方、冷凍冷却器５０に冷媒が流れない。冷凍冷却モードでは、冷凍冷却器５０に冷媒が流れる一方、冷蔵冷却器３０に冷媒が流れない。例えば、冷蔵冷却器３０と冷凍冷却器５０とに同時に冷媒が流れる場合、冷蔵冷却器３０で冷却される空気の温度が所定冷蔵温度よりも低くなったり、冷凍冷却器５０で空気される冷気の温度が所定冷凍温度よりも高くなったりする。このため、冷蔵貯蔵室１４の温度が冷蔵温度帯から外れたり、冷凍貯蔵室１６の温度が冷凍温度帯から外れたりする。上記の構成では、冷蔵冷却モードが実行されると、冷蔵貯蔵室１４を冷蔵温度帯に冷却する条件で冷蔵冷却器３０に冷媒を流し、冷凍冷却モードが実行されると、冷凍貯蔵室１６を冷凍温度帯に冷却する条件で冷凍冷却器５０に冷媒を流すことができる。このため、冷蔵貯蔵室１４の温度が冷蔵温度帯から外れることと、冷凍貯蔵室１６の温度が冷凍温度帯から外れることを抑制することができる。また、冷蔵冷却モードの実行中に、冷凍冷却器５０には冷媒が流れていない。このため、冷凍冷却器５０に冷媒が流れていないときの冷凍冷却器５０の周囲の空気の温度は、冷凍冷却器５０に冷媒が流れているときの冷凍冷却器５０の周囲の空気の温度よりも高くなる場合がある。この状態で冷凍冷却器５０に冷媒が流れると（即ち、冷凍冷却モードが実行されると）、冷凍冷却器５０の温度と、冷凍冷却器５０の周囲の空気の温度との温度差によって、冷凍冷却器５０の表面に霜が付着し易い。上記の原理と同じ原理に基づく理由によって、冷蔵冷却器３０の表面にも霜が付着し易い。上記の第１実施例の冷蔵庫１０では、冷蔵冷却器３０と冷凍冷却器５０とは、コーティング層４６を備えている。このため、冷蔵冷却モードと冷凍冷却モードとが実行される冷蔵庫１０において、冷蔵冷却器３０と冷凍冷却器５０との表面に霜が付着することを抑制することができる。
【００４１】
コーティング層４６は、複数の下流側フィン３８ｂの表面を覆う。互いに隣接する複数の下流側フィン３８ｂの間の距離Ｌ２は、互いに隣接する複数の上流側フィン３８ａの間の距離Ｌ１よりも短い。このため、複数の下流側フィン３８ｂに霜が付着することが抑制される。この結果、複数の下流側フィン３８ｂに霜が付着して距離Ｌ２が狭まり、互いに隣接する複数の下流側フィン３８ｂの間を空気が流れにくくなることを抑制することができる。互いに隣接するフィンとフィンとの間の距離が短い部分におけるフィン構造体３８の表面をコーティング層４６が覆う場合に、本技術は特に有効である。
【００４２】
（第２実施例）
図４を参照して、第２実施例を説明する。第２実施例では、第１実施例と異なる点を説明し、第１実施例と同様の点については同様の符号を付して説明を省略する。第２実施例と第１実施例では、フィン構造体３８の表面を覆うコーティング層４６の位置が異なる。
【００４３】
フィン構造体３８は、複数の第１フィン３８ｃと、複数の第２フィン３８ｄと、を備えている。複数の第１フィン３８ｃは、冷却器本体３２の幅方向（図４の左右方向）の中間位置９０に対して温度センサ４２に近接する側の近接領域９２に位置するフィンである。図４では、中間位置９０が一点鎖線によって図示されている。複数の第２フィン３８ｄは、冷却器本体３２の幅方向の中間位置９０に対して温度センサ４２側から離間する側の離間領域９４に位置するフィンである。離間領域９４は、近接領域９２よりも温度センサ４２から離間している。冷却器本体３２の幅方向の中間位置９０は、冷却器本体３２の幅方向の中間に位置している。なお、変形例では、冷却器本体３２の幅方向の中間位置９０は、冷却器本体３２の幅方向の中間よりも温度センサ４２に近接する側に位置していてもよく、冷却器本体３２の幅方向の中間よりも温度センサ４２から離間する側に位置していてもよい。
【００４４】
コーティング層４６は、離間領域９４に位置する複数の第２フィン３８ｄの表面を覆っている。コーティング層４６は、近接領域９２に位置する複数の第１フィン３８ｃの表面を覆っていない。
【００４５】
（効果）
上記の第２実施例では、離間領域９４に位置する複数の第２フィン３８ｄは、近接領域９２に位置する複数の第１フィン３８ｃよりも温度センサ４２から離間している。このため、離間領域９４に位置する複数の第２フィン３８ｄの周囲の空気の実温度と温度センサ４２によって計測される空気の温度との温度差は、近接領域９２に位置する複数の第１フィン３８ｃの周囲の空気の実温度と温度センサ４２によって計測される空気の温度との温度差よりも大きい。この結果、複数の第２フィン３８ｄには、複数の第１フィン３８ｃよりも霜が付着し易い。上記の構成では、コーティング層４６は、複数の第２フィン３８ｄの表面を覆っている。このため、霜が付着し易い複数の第２フィン３８ｄに霜が発生することを抑制することができる。
【００４６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００４７】
（１）上記の実施例のコーティング層４６では、ポリペプチドは、各部材の表面を覆う基層上に配置されている。変形例のコーティング層４６では、ポリペプチドは基層内に分散されていてもよい。この場合、ポリペプチドは、粉末であってもよい。また、基層は、グリス等の粘性を有する材料から構成されていてもよく、初期状態では粘性を有しており、所定時間経過すると硬化する材料から構成されていてもよい。
【００４８】
（２）上記の第１実施例では、コーティング層４６は、フィン構造体３８のうちの複数の下流側フィン３８ｂの表面を覆っている。変形例では、コーティング層４６は、フィン構造体３８のうちの複数の上流側フィン３８ａの表面も覆っていてもよい。即ち、コーティング層４６は、フィン構造体３８のすべての表面を覆っていてもよい。
【００４９】
（３）上記の実施例では、冷蔵冷却器３０と冷凍冷却器５０の両方がコーティング層４６を備えている。変形例では、冷凍冷却器５０のみがコーティング層４６を備えていてもよく、冷蔵冷却器３０のみがコーティング層４６を備えていてもよい。冷凍冷却器５０に冷媒が流れる場合と冷媒が流れない場合での冷凍冷却器５０の周囲の空気の温度差は、冷蔵冷却器３０に冷媒が流れる場合と冷媒が流れない場合での冷蔵冷却器３０の周囲の空気の温度差よりも大きい。これにより、冷凍冷却器５０の表面には、冷蔵冷却器３０の表面よりも霜が付着し易い。このため、冷凍冷却器５０がコーティング層４６を備える場合に、本技術は特に有効である。
【００５０】
（４）上記の実施例では、筐体１２は、内部に冷蔵貯蔵室１４と、冷凍貯蔵室１６と、冷蔵冷却器室１８と、冷凍冷却器室２０と、を有している。変形例では、筐体１２は、内部に冷蔵貯蔵室１４と冷蔵冷却器室１８のみを有していてもよく、内部に冷凍貯蔵室１６と冷凍冷却器室２０のみを有していてもよい。即ち、冷蔵庫１０は、冷蔵貯蔵室１４のみを有する冷蔵庫であってもよく、冷凍貯蔵室１６のみを有する冷蔵庫であってもよい。
【００５１】
（５）上記の実施例では、冷蔵冷却器３０と冷凍冷却器５０との近傍に、ヒータが配置されていてもよい。この構成では、ポリペプチドによって冷蔵冷却器３０と冷凍冷却器５０との表面に霜が付着することを抑制するとともに、冷蔵冷却器３０と冷凍冷却器５０との表面に霜が付着してしまった場合に、ヒータの発熱によって霜を除去することができる。
【００５２】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５３】
１０    ：冷蔵庫
１２    ：筐体
１４    ：冷蔵貯蔵室
１６    ：冷凍貯蔵室
１８    ：冷蔵冷却器室
２０    ：冷凍冷却器室
２２    ：機械室
２６、２８：ファン
３０    ：冷蔵冷却器
３２    ：冷却器本体
３４    ：冷媒管
３４ａ  ：流路
３６    ：端板
３８    ：フィン構造体
３８ａ  ：上流側フィン
３８ｂ  ：下流側フィン
３８ｃ  ：第１フィン
３８ｄ  ：第２フィン
４０    ：アキュムレータ
４２    ：温度センサ
４６    ：コーティング層
５０    ：冷凍冷却器
６０    ：圧縮機
６２    ：凝縮器
６４    ：切替弁
６６    ：冷蔵キャピラリチューブ
７０    ：冷凍キャピラリチューブ
７２    ：逆止弁
８０    ：制御装置
９０    ：中間位置
９２    ：近接領域
９４    ：離間領域
【図１】
2020176764.tif 000003
【図２】
2020176764.tif 000004
【図３】
2020176764.tif 000005
【図４】
2020176764.tif 000006